(57)【要約】【課題】  収容容器の開封に際して、キャップの回転操作後に除去可能となる包装フィルムを提供する。【解決手段】  内容物を収容可能な収容部を備えた収容容器本体１と、収容容器本体１に装着して収容容器本体１の開口部を封止するキャップ４０とを備えた収容容器Ｘ、の収容容器本体１とキャップ４０とに密着して包装する包装フィルムＹにおいて、筒状に形成したとき、筒状フィルムの外周方向に沿って第一破断促進部１００を設けると共に、第一破断促進部１００の一部を筒軸芯Ｚに沿って収容容器本体１の方向に位置ずれさせた第二破断促進部１０１が設けられ、さらに、第一破断促進部１００と第二破断促進部１０１との境界位置１０３周辺から、円筒軸芯Ｚに沿ってキャップ４０の方向に切り取り促進部１１０を設けてある。【選択図】        図６
2006273395.tif 000002
【特許請求の範囲】
【請求項１】
内容物を収容可能な収容部を備えた容器本体と、前記容器本体に装着して前記容器本体の開口部を封止するキャップとを備えた収容容器、の前記容器本体と前記キャップとに密着して包装する包装フィルムにおいて、
筒状に形成したとき、筒状フィルムの外周方向に沿って第一破断促進部を設けると共に、当該第一破断促進部の一部を筒軸芯に沿って前記容器本体の方向に位置ずれさせて第二破断促進部とし、さらに、
前記第一破断促進部と前記第二破断促進部との境界位置周辺から、前記筒軸芯に沿って前記キャップの方向に切り取り促進部を設けてある包装フィルム。
【請求項２】
複数の薬剤を各別に収容可能な収容部を備えた容器本体と、前記容器本体に装着可能であると共に前記容器本体の開口部を封止する密封蓋部材の外側に覆設可能なキャップとを備え、さらに、前記キャップの容器本体に対する相対回転により、複数の薬剤を混合可能に構成してある薬剤収容容器、の前記容器本体と前記キャップとに密着して包装する包装フィルムにおいて、
筒状に形成したとき、筒状フィルムの外周方向に沿って第一破断促進部を設けると共に、当該第一破断促進部の一部を筒軸芯に沿って前記容器本体の方向に位置ずれさせて第二破断促進部とし、さらに、
前記第一破断促進部と前記第二破断促進部との境界位置周辺から、前記筒軸芯に沿って前記キャップの方向に切り取り促進部を設けてある包装フィルム。
【請求項３】
前記第二破断促進部は、前記境界位置周辺から、筒軸芯方向に沿う辺部を有する請求項１又は２に記載の包装フィルム。
【請求項４】
前記辺部は、予め全長に亘って切れ込みが形成してある請求項３に記載の包装フィルム。
【請求項５】
前記切り取り促進部の伸長方向におけるフィルム端部領域は、前記切り取り促進部が形成されない領域としてある請求項１〜４の何れか一項に記載の包装フィルム。
【請求項６】
前記筒状フィルムの内側における前記第一破断促進部の両側に、接着部を設けてある請求項１〜５の何れか一項に記載の包装フィルム。
【発明の詳細な説明】
【技術分野】
【０００１】
本発明は、内容物を収容可能な収容部を備えた容器本体と、前記容器本体に装着して前記容器本体の開口部を封止するキャップとを備えた収容容器、の前記容器本体と前記キャップとに密着して包装する包装フィルムに関する。
【背景技術】
【０００２】
従来、点滴などの輸液用薬剤等の液体を収納する薬剤収容容器は、その開口部をゴム製等の蓋部材（ゴム栓等）で密封し、その容器の開口部と蓋部材とを、樹脂製或いは金属製のキャップで密閉するように覆っている。
薬剤収容容器の使用に際しては、キャップの一部を破断或いは分離して密封蓋部材の一部を露出させる。そして、ゴム栓を開けることなく、その露出した部位の密封蓋部材に注射針を刺し、点滴に供される。
【０００３】
前記薬剤収容容器には、複数（例えば２種類）の薬剤を収容することがあり、使用前には２種類の薬剤を別々の収容部に隔離した状態で収容し、使用時に２種類の薬剤を収容した収容部を無菌的に連通させてこれらの薬剤を混合し、点滴などに供される形態が知られている。
このような薬剤収容容器として、各収容部を連通する連通部の封止状態を回転操作により解除するものがある（例えば、特許文献１）。即ち、使用に際し、キャップ部材の回転操作により連通部を封止する突出片を回転させることにより、連通部が開放されるため、簡単な操作で複数の薬剤を混合できる。
【０００４】
また、このような薬剤収容容器等においては、流通段階での容器の汚れや、過誤による蓋の開封を防止するため、シュリンクフィルム等の包装フィルムで容器を包装することが一般に行われている（例えば、特許文献２）。
特許文献２には、シュリンクフィルムで包装された二剤混合容器が記載してある。この容器は、第１剤を収容した第１容器体と、第２剤を収容した第２容器体とを、破断可能な底壁を介して連設している。そして、シュリンクフィルムを切断除去した後、容器のキャップを螺動下降させて底壁を破断すると、上部の第２剤が第１剤中に落下し、二剤を混合できる構成となっている。
そして、この文献では、誤ってキャップを螺動下降させて底壁を破断してしまう虞があるため、シュリンクフィルムで容器全体を被覆包装することが望ましいとしている。
【０００５】
【特許文献１】特許３２８１３８８号公報（第１２〜１３頁、第３１図等参照）
【特許文献２】特許３２９８７４７号公報（段落０００８、００１７、図１等参照）
【発明の開示】
【発明が解決しようとする課題】
【０００６】
特許文献１に開示の薬剤収容容器においては、キャップ部材の回転操作を行って連通部を開放する前、即ち、複数の薬剤の混合前に、密封蓋部材に注射針を刺す等して点滴使用に供する虞がある。この場合、未混合の２種類の薬剤を隔離して収容する容器であれば、一方の薬剤のみを患者に投与することになり、所望の混合薬剤が得られない状態で患者に薬剤を投与することになってしまう。
【０００７】
また、特許文献２に記載してある包装フィルムで包装された二剤混合容器では、シュリンクフィルムを切断除去した後に、容器のキャップを螺動下降させて二剤を混合できる構成となっている。しかし、この場合もシュリンクフィルムの除去後に、薬剤の混合操作を行わずに患者に薬剤を投与する虞がある。
【０００８】
そのため、収容容器の開封に際し、複数の薬剤を混合する操作を確実に行った後に、所望の混合薬剤を患者に供することが望まれる。つまり、複数の薬剤を混合する操作が行われていない状態では、薬剤を供することができない構成とすることが望まれている。
【０００９】
また、収容容器を包装するシュリンクフィルムにおいては、破断を予定している箇所以外から当該フィルムを破断して、当該フィルムを収容容器から除去してしまう虞がある。そして、当該フィルムを良好に破断できない場合には、当該フィルムを収容容器から除去するのに手間取るという問題が生じる。
【００１０】
従って、本発明の目的は、収容容器の開封に際して、キャップの回転操作後に除去可能となる包装フィルムを提供することにある。
【課題を解決するための手段】
【００１１】
上記目的を達成するための本発明に係る包装フィルムの第一特徴構成は、内容物を収容可能な収容部を備えた容器本体と、前記容器本体に装着して前記容器本体の開口部を封止するキャップとを備えた収容容器、の前記容器本体と前記キャップとに密着して包装する包装フィルムであって、筒状に形成したとき、筒状フィルムの外周方向に沿って第一破断促進部を設けると共に、当該第一破断促進部の一部を筒軸芯に沿って前記容器本体の方向に位置ずれさせて第二破断促進部とし、さらに、前記第一破断促進部と前記第二破断促進部との境界位置周辺から、前記筒軸芯に沿って前記キャップの方向に切り取り促進部を設けた点にある。
【００１２】
上記第一特徴構成によれば、螺合する等して容器本体に装着してあるキャップの回転操作によって破断される第一破断促進部を、容器本体の外周方向に亘るように設けることができる。そして、包装フィルムは、第一破断促進部がキャップの回転操作によって破断されたときに、キャップ側部材と収容部側部材とに分離される。このとき、第二破断促進部は、第一破断促進部の一部を筒軸芯に沿って容器本体の方向に位置ずれした状態で形成してあるため、キャップ側部材から突出した部位が形成される。この突出した部位は、包装フィルムを容器から除去する際のつまみ片として利用できる。
【００１３】
さらに、切り取り促進部は、第一破断促進部と第二破断促進部との境界位置、或いはその周辺から、筒軸芯に沿ってキャップの方向に形成してあるため、突出した部位（つまみ片）を引っ張り操作して、この切り取り促進部を破断すれば、包装フィルムの一部（キャップ側部材）を収容容器から容易に除去できる。
【００１４】
従って、本発明の第一特徴構成に記載の包装フィルムであれば、包装フィルムを除去するためのきっかけとなる突出部位（つまみ片）は、キャップの回転操作前には形成されておらず、包装フィルムを除去するためには、まず、キャップを回転させる必要があるという意識が働く。そして、このキャップの回転操作により、突出部位（つまみ片）が形成される。すると、使用者は、この突出部位を引っ張り操作する必要があるという意識が働く。そして、突出部位を引っ張り操作することにより、切り取り促進部を破断して包装フィルムの一部であるキャップ側部材を剥がす、という一連の操作を確実に行うことができる。
即ち、キャップを回転することにより出現する突出部位（つまみ片）が、包装フィルムを剥がす操作手順を誘導するため、収容容器の開封時における上述した一連の開封操作の確実性が向上する。
【００１５】
上記目的を達成するための本発明に係る包装フィルムの第二特徴構成は、複数の薬剤を各別に収容可能な収容部を備えた容器本体と、前記容器本体に装着可能であると共に前記容器本体の開口部を封止する密封蓋部材の外側に覆設可能なキャップとを備え、さらに、前記キャップの容器本体に対する相対回転により、複数の薬剤を混合可能に構成してある薬剤収容容器、の前記容器本体と前記キャップとに密着して包装する包装フィルムであって、筒状に形成したとき、筒状フィルムの外周方向に沿って第一破断促進部を設けると共に、当該第一破断促進部の一部を筒軸芯に沿って前記容器本体の方向に位置ずれさせて第二破断促進部とし、さらに、前記第一破断促進部と前記第二破断促進部との境界位置周辺から、前記筒軸芯に沿って前記キャップの方向に切り取り促進部を設けた点にある。
【００１６】
上記第二特徴構成によれば、キャップの回転操作によって破断される第一破断促進部を、容器本体の外周方向に亘るように設けることができる。そして、包装フィルムは、第一破断促進部がキャップの回転操作によって破断されたときに、キャップ側部材と収容部側部材とに分離される。このとき、第二破断促進部は、第一破断促進部の一部を筒軸芯に沿って容器本体の方向に位置ずれした状態で形成してあるため、キャップ側部材から突出した部位が形成される。この突出した部位は、包装フィルムを容器から除去する際のつまみ片として利用できる。
【００１７】
さらに、切り取り促進部は、第一破断促進部と第二破断促進部との境界位置、或いはその周辺から、筒軸芯に沿ってキャップの方向に形成してあるため、突出した部位（つまみ片）を引っ張り操作して、この切り取り促進部を破断すれば、包装フィルムの一部（キャップ側部材）を薬剤収容容器から容易に除去できる。
そして、突出部位を引っ張り操作することにより切り取り促進部を破断して包装フィルムの一部であるキャップ側部材を剥がす、という操作を行うことにより、キャップ或いはキャップ側部材を離脱させて密封蓋部材を露出可能となる。
【００１８】
そして、密封蓋部材が露出してはじめて、注射針等の液体移送手段が貫入できるため、キャップの容器本体に対する相対回転により得られた混合薬剤を患者に投与できる。
【００１９】
従って、本発明の第二特徴構成に記載の包装フィルムであれば、キャップを回転する操作により、複数の薬剤を混合すると同時に、包装フィルムを剥がす操作手順を誘導するための突出部位（つまみ片）が出現して、包装フィルムを薬剤収容容器から容易に除去できるようになる。そして、包装フィルムを剥がし終えたときには薬剤の混合が確実に終了し、所望の混合薬剤を患者に投与することができる。これにより、未混合の状態で患者に薬剤を投与するのを効果的に防止できるため、薬剤収容容器の使用時の安全性がより向上する。
【００２０】
本発明に係る包装フィルムの第三特徴構成は、前記第二破断促進部が、前記境界位置周辺から、筒軸芯方向に沿う辺部を有する点にある。
【００２１】
筒軸芯方向に沿う辺部は、キャップの回転方向と略垂直な辺である。そして、当該辺部以外の第二破断促進部は、第一破断促進部と略平行になるように構成できる。
従って、上記第三特徴構成によれば、キャップの回転操作による破断促進部の破断により形成される突出した部位（つまみ片）は、例えば突出した矩形状となるように構成可能となる。
このように形成された矩形状部位（つまみ片）は、破断促進部と略垂直な辺部と、破断促進部と略平行な第二破断促進部とを破断して形成される。そのため、辺部は、キャップの回転に伴う引っ張り力により、第二破断促進部はキャップの回転と略同じ方向でスムーズに破断できる結果、突出した部位（つまみ片）を合理的に形成することができる。
【００２２】
本発明に係る包装フィルムの第四特徴構成は、前記辺部に予め全長に亘って切れ込みを形成した点にある。
【００２３】
上記第四特徴構成によれば、キャップの回転時に辺部を破断する必要がないため、突出した部位（つまみ片）を更に合理的に形成することができる。
【００２４】
本発明に係る包装フィルムの第五特徴構成は、前記切り取り促進部の伸長方向におけるフィルム端部領域が、前記切り取り促進部が形成されない領域とした点にある。
【００２５】
切り取り促進部を当該フィルム端部まで形成すると、キャップの回転前に使用者が誤ってフィルム端部側から切り取り促進部を破断して包装フィルムを容器から除去する虞がある。この場合には、混合薬剤が得られない状態で患者に供されることもあり得る。
そのため、上記第五特徴構成のように、切り取り促進部をフィルム端部領域まで形成しない状態とすることで、キャップの回転前に包装フィルムを容器から除去するのを効果的に防止できる。
【００２６】
本発明に係る包装フィルムの第六特徴構成は、前記筒状フィルムの内側における前記第一破断促進部の両側に、接着部を設けた点にある。
【００２７】
上記第六特徴構成によれば、包装フィルムを破断して形成されるキャップ側部材と収容部側部材とにおいて、収容容器側となる面に、収容容器と固着する接着部を設けることができる。
そして、接着部をキャップ側部材と収容部側部材との両方に設けることにより、容器本体とキャップとを相対回転させたときに、キャップとキャップ側部材とを協働させ、そして、容器本体と収容部側部材とを協働させることができる。そのため、キャップと容器本体とを相対回転させたときには、キャップ側部材と収容部側部材とが確実に相対移動するため、破断促進部を確実に破断することができる。
【発明を実施するための最良の形態】
【００２８】
以下、本発明の実施例を図面に基づいて説明する。
本発明の包装フィルムＹを図１に示し、この包装フィルムＹを薬剤収容容器Ｘに適用した場合の概略図を図２〜３に示す。
薬剤収容容器Ｘは主として医療用に用いられ、例えば、液体として医療用輸液等の薬剤を患者等に供するための容器である。本実施例における薬剤収容容器Ｘは、未使用時には複数の薬剤を別々の収容部材に隔離した状態で収容し、使用時には複数の薬剤を収容した収容部を無菌的に連通させてこれら薬剤を混合し、点滴などに供することが可能に構成されているものを示す。複数の薬剤は、全てが液体薬剤であってもよく、液体および固形薬剤（粉末状を含む）を組み合わせてもよい。
【００２９】
尚、本発明の包装フィルムＹに適用可能な容器は、医療用の薬剤収容容器に限らず、例えば、第一剤と第二剤とを使用直前に混合して使用するが、混合して長時間たつと互いに反応して効力が減少する複数の薬剤・固形物を収容する容器であれば、適用可能である。具体的には、用時調製型薬剤を収容する容器などが適用できる。
さらに、図示しないが、本発明の包装フィルムＹは、上述したように二剤を混合する形態の容器に限らず、食品や飲料を内容物として収容する収容容器においても適用できる。このとき、収容容器の開口部は、螺合する等して当該収容容器に装着してあるキャップにより封止してある。
【００３０】
（薬剤収容容器）
薬剤収容容器Ｘは、収容容器本体１とキャップ４０とを有する（図２〜４参照）。
収容容器本体１は、複数（例えば２種類）の液体薬剤を別々に収容可能で、使用時にはこれら液体薬剤を無菌的に混合可能な形態とする。
例えば、２種類の液体薬剤を回転操作により混合可能な形態がある。薬剤を混合する混合機構としては、２室を連通させる公知の方法を用いればよい。
具体的には、回転操作により連通路の封止部材が連通孔に対し開放移動される形態、回転操作により連通路の封止部材が剥離し２室が連通する形態、２室の相対回転により閉鎖状態から連通状態に変わる形態等がある。
本実施形態では、回転操作により連通路の封止部材が連通孔に対し開放移動される混合機構を例示する。
【００３１】
即ち、収容容器本体１は、第一薬剤を収容した第一収容部材１０と、第二薬剤を収容すると共に、第一収容部材１０と連通路６０を介して連通する第二収容部材２０とを設けてある。薬剤収容部として、第一収容部材１０は第一薬剤を収容する薬剤収容空間１３、第二収容部材２０は第二薬剤を収容する薬剤収容空間２１をそれぞれ形成し、これら空間は、それぞれ、収容する薬剤の量に応じた容量に形成することが可能である。例えば、薬剤収容空間１３は２０ｍＬ、薬剤収容空間２１は４８０ｍＬの容量を有するように構成してある。
第一収容部材１０と第二収容部材２０とは任意の形状に成形することが可能であるが、第一収容部材１０は、密封蓋部材３０及びキャップ４０を回転させる必要があるため、円筒状に成形するのが好ましい。
第一収容部材１０の外側面には、キャップ４０を係合装着可能な装着係合部１１を設けてある。そして、キャップ４０のキャップ本体係合部４３と装着係合部１１とが係合し、キャップ４０と収容容器本体１とが相対回転可能となっている。
【００３２】
そして、連通路６０は、封止部材５０により封止或いは開封自在となる。つまり、封止部材５０は、連通路６０を封止した状態の封止姿勢（図５（ａ）参照）と、連通路６０の封止を解除した状態の開封姿勢（図５（ｂ）参照）とに切替自在に設けてある。封止部材５０は、密封蓋部材３０に対して係合固定されている。
封止部材５０が封止姿勢である時には、二種類の薬剤を別々の収容空間（薬剤収容空間１３及び薬剤収容空間２１）に隔離した状態で収容可能となり、封止部材５０が開封姿勢である時には、二種類の薬剤を収容した収容空間を無菌的に連通させて二種類の薬剤を混合することが可能となる。
【００３３】
第一収容部材１０に設けられている開口部１２は、ゴム材等の弾性材料で構成してある密封蓋部材３０により密封封止されており、密封蓋部材３０を軸心周りに回転可能にキャップ４０が第一収容部材１０（収容容器本体１）に係合装着されている。
【００３４】
キャップ４０は、収容容器本体１に装着可能であると共に、収容容器本体１の開口部１２を封止する密封蓋部材３０の外側に覆設可能に形成されている。覆設可能とは、密封蓋部材３０を覆うように設けてあることをいうものとする。このとき、キャップ４０は、密封蓋部材３０を無菌的に覆設するのが好ましい。
【００３５】
この薬剤収容容器Ｘの使用に際して、キャップ４０を収容容器本体１に対して相対回転させる。このとき、密封蓋部材３０および封止部材５０がキャップ４０と連動して回転し、封止部材５０が開封姿勢となり、二種類の薬剤を無菌的に混合できる。このように薬剤を混合した後、密封蓋部材３０に注射針（液体移送手段）を貫入させ、密封蓋部材３０を開けずに点滴に供するようにしている。
【００３６】
このように、キャップ４０を開封除去した後で、初めて液体移送手段を貫入させるように構成することが重要である。つまり、キャップ４０は、複数の薬剤の無菌的な混合の後で除去できるように構成する。仮に、当該混合の前にキャップ４０が除去可能であれば、薬剤の混合前に密封蓋部材３０に液体移送手段が貫入可能となって点滴に供することができることになり、不都合である。
【００３７】
本実施例では、キャップ４０はキャップ本体４１と離脱部材４２とを有するように構成し、包装フィルムＹのキャップ側部材Ｙ１を除去した後、キャップ４０の一部である離脱部材４２のみを除去し、密封蓋部材３０表面の全部又は一部を露出させるように構成する。
【００３８】
（包装フィルム）
本発明の包装フィルムＹは、上述した薬剤収容容器Ｘの収容容器本体１とキャップ４０とに密着して包装するフィルムである。この包装フィルムＹは、例えば、薬剤収容容器Ｘの少なくとも収容容器本体１の一部とキャップ４０との境界に密着させて包装することが可能であるが、薬剤収容容器Ｘ全体に密着するように包装してもよい。
そして、図１〜３に示すように、包装するフィルムＹは、筒状に形成したとき、筒状フィルムＹの外周方向に沿って第一破断促進部１００を設けると共に、第一破断促進部１００の一部を筒軸芯Ｚに沿って収容容器本体１の方向に位置ずれさせて第二破断促進部１０１とし、さらに、第一破断促進部１００と第二破断促進部１０１との境界位置１０３周辺から、筒軸芯Ｚに沿ってキャップ４０の方向に切り取り促進部１１０を設けてある。
包装するフィルムＹは筒状に形成するが、円柱状に折り目がついた形状等でもよい。即ち、略筒状となっていればよい。
【００３９】
この包装フィルムＹの構成により、キャップ４０の回転操作によって破断される第一破断促進部１００を、収容容器本体１の外周方向に亘るように設けることができる。第一破断促進部１００は、外周の略全周に設ける形態、或いは、外周の一部に設ける形態とすることが可能である。本実施形態では、外周の全周に亘って設けた場合を例示する。
包装フィルムＹは、第一破断促進部１００がキャップ４０の回転操作によって破断されたときに、キャップ側部材Ｙ１と薬剤収容部側部材Ｙ２とに分離される。このとき、第二破断促進部１０１は、第一破断促進部１００の一部を筒軸芯Ｚに沿って収容容器本体１の方向に位置ずれした状態で形成してあるため、キャップ側部材Ｙ１につまみ片１２０が形成可能になるように構成できる（図６参照）。
【００４０】
さらに、切り取り促進部１１０は、第一破断促進部１００と第二破断促進部１０１との境界位置１０３周辺から、筒軸芯Ｚに沿ってキャップ４０の方向に形成してあるため、つまみ片１２０を引っ張り操作することによって破断される部位として形成できる。そして、この切り取り促進部１１０を破断して、キャップ側部材Ｙ１を薬剤収容容器Ｘから除去可能に構成できる。
【００４１】
包装フィルムＹは、熱収縮性フィルムであるシュリンクフィルムが好適に例示される。以下、本発明の包装フィルムは、シュリンクフィルムを適用した場合について詳述する。
【００４２】
シュリンクフィルム
シュリンクフィルムＹとしては、容器の視認性を良好にするため、透明あるいは半透明のフィルムが好適に例示される。材質としては、例えば、一軸延伸あるいは二軸延伸されたポリビニルクロライド・ポリエチレンテレフタレート（ＰＥＴ）・ポリスチレン・ポリプロピレンなどを用いることが可能である。
シュリンクフィルムＹを容器から除去し、廃棄した後に焼却処分したとき等に発生する有害物質が少ないことから、ＰＥＴが最も好適に使用される。
【００４３】
また、シュリンクフィルムＹは、例えば、１枚のシート状シュリンクフィルムの両端部分を重ね合わして接合された重ね合わせ部を有する筒状形態としたとき、シュリンクフィルムＹの周方向に熱収縮し、容器に密着するものが適用できる。
熱収縮とは、例えば、熱風による処理、湯への浸漬処理、スチームの噴霧処理等によりシュリンクフィルムＹを収縮させることを指す。
即ち、筒状形態にしたシュリンクフィルムＹを、ガラス瓶やプラスチックボトル等の薬剤収容容器Ｘの外周面に装着し、熱収縮して当該容器に密着させて用いる。このとき、当該容器の全体を包装してもよいし、収容容器本体１の一部とキャップ４０との境界付近のみを覆うように包装してもよい。容器全体を包装する場合は、シュリンクフィルムＹは有底形態にして容器外周面に装着し、熱収縮させる。
【００４４】
また、シュリンクフィルムＹは、単層あるいは複層で当該容器を包装することが可能である。さらに、シュリンクフィルムＹは、包装する容器の大きさにより、種々の寸法を設定可能である。例えば、医療用輸液等の薬剤を患者等に供するための容器である場合は、シート状フィルムの状態で横幅６５ｍｍ程度、縦幅１５０ｍｍ程度とし、このとき、通常、４０〜６０μｍ程度の厚さのものが好ましく用いられる。
【００４５】
シュリンクフィルムＹには、予め必要な文字・図柄等を印刷しておくことが可能である。印刷箇所は限定されるものではないが、例えば、印刷領域１５０を設けておくことが可能である。印刷領域１５０には、文字・図柄等を印刷し易くするための下地加工を施すことができる。また、印刷した文字・図柄等の上面には、傷防止用のオーバーコートニス等を塗布することが可能である。
【００４６】
シュリンクフィルムＹは、使用に際して迅速に内容物を供することができるように、容器と容易に分離できるように構成してある。この要求を満足させる方法として、一般的には破断予定部位に、ミシン目線加工、薄肉加工を施すことが行われている。
【００４７】
破断促進部
第一破断促進部１００および第二破断促進部１０１は、キャップ４０の回転操作によって破断される破断予定部位であり、収容容器本体１の外周方向に沿って設けてある（図１〜３参照）。破断促進部１００は、シュリンクフィルムＹの破断予定部位に、ミシン目線・薄肉部等を形成することにより構成される。ミシン目線とは、複数の切れ目を線状に、断続的に配置させたものをいう。本実施形態では、破断促進部１００は、シート状シュリンクフィルムの一方の開放端側から他方の開放端側に至るまで形成してある（図１（ａ））。これにより、シュリンクフィルムを筒状形態（図１（ｃ））として容器に密着させたとき、第一破断促進部１００および第二破断促進部１０１は、周方向に一周するように構成される。
【００４８】
このとき、第一破断促進部１００は、キャップ４０の下端部と同じ位置に配置されないように構成することが望ましい（図３参照）。例えば、キャップ４０の下端部の下方（例えば５〜１５ｍｍ）に位置するように配置すると、キャップ４０の端部と他物との接触によって破断促進部１００が誤って破断されるのを防止できる。
【００４９】
破断促進部であるミシン目線等は、直線状あるいは曲線状に形成することが可能であり、用途に応じて適宜選択する。
【００５０】
このように第一破断促進部１００および第二破断促進部１０１を設けると、ミシン目線に沿って容器に密着したシュリンクフィルムＹを引き裂きやすくすることができる。本発明では、キャップ４０の回転により、収容容器本体１とキャップ４０とを相対回転させると、第一破断促進部１００および第二破断促進部１０１が破断される。このとき、シュリンクフィルムＹは、キャップ側部材Ｙ１と薬剤収容部側部材Ｙ２とに分離される。そして、第二破断促進部１０１は、第一破断促進部１００の一部を筒軸芯Ｚに沿って収容容器本体１の方向に位置ずれするように形成してあるため、キャップ側部材Ｙ１につまみ片１２０が形成可能となる。つまみ片１２０については、以下に説明する。
【００５１】
つまみ片
つまみ片１２０は、シュリンクフィルムＹを容器から除去するためのきっかけとなるものであるが、本発明のつまみ片１２０は当初から形成されていない態様とする。つまり、キャップ４０の回転動作により、初めてつまみ片１２０が形成される。そのため、キャップ４０の回転動作を行わない限り、シュリンクフィルムＹを容器から除去し難い構成となる。
【００５２】
上述したように、第二破断促進部１０１を直線状に形成したときは、つまみ片１２０を矩形状や三角形状等とすることができる。また、当該破断促進部１０１を曲線状に形成したときは、つまみ片１２０を半円状等とすることができる。そのため、薬剤収容容器Ｘの大きさや形状等を考慮し、使用者がつまみ片１２０を把持するのに適する様々な形状を適用できる。
【００５３】
第二破断促進部１０１は、境界位置１０３周辺から、筒軸芯Ｚ方向に沿う辺部１０４を有するように構成できる。筒軸芯方向に沿う辺部１０４は、キャップ４０の回転方向と略垂直な辺である。そして、当該辺部１０４以外の第二破断促進部１０１（破断部１０１ａ）は、第一破断促進部１００と略平行になるように構成できる。
これにより、つまみ片１２０は、第一破断促進部１００および第二破断促進部１０１がキャップ４０の回転操作によって破断されたときに、突出した矩形状となるように構成可能となる（図１、図６参照）。
このとき、つまみ片１２０は、破断促進部１００と略垂直な辺部１０４と、破断促進部１００と略平行な破断部１０１ａ（第二破断促進部１０１の一部）とを破断して形成される。そのため、辺部１０４はキャップ４０の回転に伴う引っ張り力により、破断部１０１ａはキャップ４０の回転と略同じ方向でスムーズに破断できる。その結果、つまみ片１２０を合理的に形成することができる。
【００５４】
また、辺部１０４は、予め全長に亘って切れ込みが形成されるように構成することが可能である（図１（ｂ）参照）。このように構成すると、キャップ４０の回転時に辺部１０４を破断する必要がなく、破断促進部１００と略平行な破断部１０１ａのみを破断して、つまみ片１２０を更に合理的に形成することができる。
【００５５】
切り取り促進部
切り取り促進部１１０は、つまみ片１２０を引っ張り操作することによって破断される破断予定部位である。従って、切り取り促進部１１０は、つまみ片１２０の筒軸芯方向に沿う辺部１０４を延長する状態で、キャップ側部材Ｙ１のフィルム端部１４０に向かって形成する（図１等参照）。切り取り促進部１１０は、上述した第一破断促進部１００および第二破断促進部１０１と同様に、破断予定部位にミシン目線・薄肉部等を形成することにより構成される。
そして、切り取り促進部１１０を破断して、キャップ側部材Ｙ１を薬剤収容容器Ｘから確実に除去できる。
【００５６】
ここで、切り取り促進部１１０は、キャップ側部材Ｙ１の開放端部１４０まで形成していない場合がある。即ち、切り取り促進部１１０の伸長方向におけるフィルム端部領域１４１は、切り取り促進部１１０が形成されない領域とすることが可能である（図１参照）。
【００５７】
切り取り促進部１１０を当該フィルム端部１４０まで形成すると、キャップ４０の回転前に使用者が誤ってフィルム端部１４０側から切り取り促進部１１０を破断してシュリンクフィルムＹを容器から除去する虞がある。この場合には、混合薬剤が得られない状態で患者に供されることもあり得る。そのため、切り取り促進部１１０は、フィルム端部領域１４１まで形成しない状態として、キャップ４０の回転前にシュリンクフィルムＹを容器から除去するのを防止できる。
尚、キャップ側部材Ｙ１を薬剤収容容器Ｘから除去したとき、もう一方のシュリンクフィルム片である薬剤収容部側部材Ｙ２は、収容容器本体１に密着したままであってもよい。
【００５８】
接着部
筒状フィルムの内側における前記第一破断促進部の両側に、接着部を設けることが可能である。これにより、キャップ側部材Ｙ１と薬剤収容部側部材Ｙ２とにおいて、薬剤収容容器１側となる面に、シュリンクフィルムＹが薬剤収容容器１と固着する接着部１３０を設けることができる（図１参照）。
【００５９】
接着部１３０には、シュリンクフィルムＹと薬剤収容容器Ｘの外周とを固着させる接着剤を塗布する。接着剤は、例えば、感熱型接着剤等のように、熱処理を行うことにより接着性を発揮するタイプの接着剤であれば、適用できる。
接着部１３０は、例えば、シュリンクフィルムＹの、キャップ側部材Ｙ１（１３０ａ〜ｂ）と薬剤収容部側部材Ｙ２（１３０ｃ〜ｄ）との両方に、例えば対向するように設ける。接着部１３０をキャップ側部材Ｙ１と薬剤収容部側部材Ｙ２との両方に設けることにより、収容容器本体１とキャップ４０とを相対回転させたときに、キャップ４０とキャップ側部材Ｙ１とを協働させ、そして、収容容器本体１と薬剤収容部側部材Ｙ２とを協働させることができる。そのため、キャップ４０と収容容器本体１とを相対回転させたときには、キャップ側部材Ｙ１と薬剤収容部側部材Ｙ２とが確実に相対移動するため、破断促進部１００、１０１を確実に破断することができる。
仮に、接着部１３０をキャップ側部材Ｙ１に設けない構成とすると、収容容器本体１とキャップ４０とを相対回転させたときに、キャップ４０とキャップ側部材Ｙ１とは協働せず、破断促進部１００を破断し難くなる。そして、破断促進部１００が破断されない場合、つまみ片１２０は形成されないため、シュリンクフィルムＹは除去し難くなる。
【００６０】
本実施形態では、４箇所の接着部１３０ａ〜ｄを形成したものを例示したが、４箇所に限定されるものではない。また、各接着部の面積は適宜設定可能であるが、面積の設定は、キャップ４０や収容容器本体１の形状・材質によって調整する。
【００６１】
上述したように、本発明のシュリンクフィルムＹは、キャップ４０を回転する操作により、複数の薬剤を混合すると同時に、シュリンクフィルムＹを剥がす操作手順を誘導するためのつまみ片１２０が出現して、シュリンクフィルムＹを薬剤収容容器Ｘから容易に除去できるようになる。
【００６２】
薬剤収容容器ＸはシュリンクフィルムＹで包装してあるため、使用に際してシュリンクフィルムＹを剥がすための操作を行う必要があることを使用者に意識させることができる。
また、シュリンクフィルムＹを除去するためきっかけとなるつまみ片１２０は、キャップ４０の回転操作前には形成されていないため、シュリンクフィルムＹを除去するためには、まず、キャップを回転させる必要があるという意識が働く。
そして、シュリンクフィルムＹの第一破断促進部１００および第二破断促進部１０１を破断するためキャップ４０を回転させる、という操作は、薬剤の混合操作を兼ねる。そして、このキャップ４０の回転操作により、つまみ片１２０が形成される。すると、使用者は、このつまみ片を引っ張り操作する必要があるという意識が働く。
そして、つまみ片１２０を引っ張り操作することにより、切り取り促進部１１０を破断してシュリンクフィルムＹの一部であるキャップ側部材Ｙ１を剥がす、という一連の操作を確実に行うことにより、キャップ４０或いはキャップ４０の一部である離脱部材４２を離脱させて密封蓋部材３０を露出することができる。
【００６３】
そして、密封蓋部材３０が露出してはじめて、注射針等の液体移送手段が貫入できるため、キャップ４０の収容容器本体１に対する相対回転により得られた混合薬剤を患者に投与できる。
【００６４】
このように、シュリンクフィルムＹを剥がす操作手順を誘導することで、薬剤の混合が適切に行われるため、シュリンクフィルムＹを剥がし終えたときには薬剤の混合が確実に終了し、所望の混合薬剤を患者に投与することができる。これにより、未混合の状態で患者に薬剤を投与するのを効果的に防止できるため、薬剤収容容器Ｘの使用時の安全性がより向上する。
【００６５】
そして、好ましくは第一薬剤と第二薬剤とを充分に混合させた後、注射針を密封蓋部材３０に貫入した状態で薬剤収容容器Ｘを第一収容部材１０が下になるように転倒させると、第一薬剤と第二薬剤との混合薬剤は注射針を経て患者に供される。
【００６６】
（シュリンクフィルム製造工程）
以下に、本発明のシュリンクフィルムＹの製造工程を説明する。
本発明のシュリンクフィルムＹは、シート状フィルム（図１（ａ））を、以下に説明するように筒状（図１（ｃ））にして容器に適用するが、シート状フィルムに、直接、第一破断促進部１００、第二破断促進部１０１および切り取り促進部１１０のミシン目線を形成してから筒状形態とする。しかし、これに限られるものではなく、以下に示すように、シート状フィルムを折曲位置Ｌで折り曲げた後、ミシン目線を形成してもよい。
【００６７】
まず、筒状形態のシュリンクフィルムＹを製造する方法について説明する。
筒状形態のシュリンクフィルムＹは、シート状フィルムの幅方向の両端を熱溶着する等によって形成することが可能である。
熱溶着する場合は、例えば、シート状フィルムの幅方向の両端を重ね合わせた状態にし、この重合部分を加熱することで、重合部分のフィルム同士が溶着する。
【００６８】
次に、第一破断促進部１００、第二破断促進部１０１および切り取り促進部１１０であるミシン目線を形成する工程について説明する。
シート状フィルムは、折曲位置Ｌにて折り曲げられ、２枚重ねにした状態とする（図１（ｂ））。このとき、シート状フィルムは、破断促進部１００および切り取り促進部１１０が、折曲位置Ｌにて左右対称となる位置で折り曲げる。この状態で、ミシン目線形成刃を、折り曲げられたシュリンクフィルムＹに押し付ける。これにより、２枚重ねになったシュリンクフィルムＹにミシン目線が形成される。このようにして、第一破断促進部１００、第二破断促進部１０１および切り取り促進部１１０が形成される。
【００６９】
ミシン目線の寸法については種々の寸法を設定可能であるが、例えば切れ目の長さを０．５〜１．２ｍｍ程度に形成し、これらの間隔を０．５〜１．２ｍｍ程度に形成する。
【００７０】
（容器包装工程）
以下に、薬剤収容容器ＸをシュリンクフィルムＹで密着包装する工程について説明する。
上述のようにして得られた筒状形態のシュリンクフィルムＹによって、薬剤収容容器Ｘ等の被包装体の周囲を覆う。この状態で、熱風処理、湯への浸漬処理、あるいは、スチーム噴き付け処理等により熱処理を行う。これにより、シュリンクフィルムＹは熱収縮し、薬剤収容容器Ｘの周囲に密着する。このとき、接着部１３０は、熱処理を行うことにより接着性を発揮するタイプの接着剤が塗布してあるため、シュリンクフィルムＹと薬剤収容容器Ｘの外周とを固着できる。
また、本実施形態では、シュリンクフィルムＹの上側の開放端側は、キャップ４０の上面側に折れ曲がり、キャップ４０の円周端部に沿って密着するように薬剤収容容器Ｘを包装するが、このような包装形態に限らず、薬剤収容容器Ｘの全体を包装してもよい。
【産業上の利用可能性】
【００７１】
本発明の包装フィルムは、医療用の薬剤収容容器、即ち、キャップの容器本体に対する相対回転により、複数の薬剤を混合可能に構成してある薬剤収容容器の包装に利用することができる。また、容器は、医療用の薬剤収容容器に限らず、第一剤と第二剤とを使用直前に混合して使用するが、混合して長時間たつと互いに反応して効力を減少する複数の薬剤・固形物を収容する容器であれば、適用可能である。さらに、二剤を混合する形態の容器に限らず、食品や飲料を内容物として収容する収容容器においても適用できる。
【図面の簡単な説明】
【００７２】
【図１】本発明の包装フィルムの概略図  （ａ）シート状態  （ｂ）折り曲げた状態  （ｃ）筒形状態
【図２】本発明の包装フィルムおよび薬剤収容容器の概略図
【図３】本発明の包装フィルムで薬剤収容容器を包装した要部概略図
【図４】薬剤収容容器の薬剤混合機構の要部概略図
【図５】封止部材の態様を示した概略図  （ａ）封止姿勢  （ｂ）開封姿勢
【図６】本発明の包装フィルムで薬剤収容容器を包装した要部斜視図  （ａ）キャップの回転操作前  （ｂ）キャップを回転操作した後、つまみ片が形成される  （ｃ）切り取り促進部を引っ張り操作する
【符号の説明】
【００７３】
Ｘ            収容容器
Ｙ            包装フィルム
Ｚ            筒軸芯
１            収容容器本体
４０          キャップ
１００        第一破断促進部
１０１        第二破断促進部
１０３        境界位置
１０４        辺部
１１０        切り取り促進部
１３０ａ〜ｄ  接着部
１４１        フィルム端部領域
【図１】
2006273395.tif 000003
【図２】
2006273395.tif 000004
【図３】
2006273395.tif 000005
【図４】
2006273395.tif 000006
【図５】
2006273395.tif 000007
【図６】
2006273395.tif 000008